(57)【特許請求の範囲】
【請求項１】
装置本体の接客面における飲料提供部に互いに隣接する態様で設けられ、かつ互いに異なる種類の飲料を吐出する複数のノズルと、
前記飲料提供部に設けられ、かつ各ノズルの下方側となる部位に飲料容器を載置させるための載置部を有するステージと、
前記飲料提供部を開閉する態様で前記装置本体に設けられたカバーと
を備えた飲料提供装置において、
前記カバーが前記飲料提供部を閉塞する場合に、一のノズルより該ノズルの下方側の載置部に載置される飲料容器に飲料を吐出する領域と、他のノズルより該ノズルの下方側の載置部に載置される飲料容器に飲料を吐出する領域とを仕切る仕切部材を備えたことを特徴とする飲料提供装置。
【請求項２】
前記カバーは、前記飲料提供部に近接離反する態様で揺動可能に設けられ、該飲料提供部に近接する態様で揺動する場合に該飲料提供部を閉塞することが可能であり、
前記仕切部材は、前記カバーに設けられたことを特徴とする請求項１に記載の飲料提供装置。
【請求項３】
前記載置部は、前記飲料容器の底部に当接可能なガイドを有しており、
前記カバーは、前記飲料提供部を閉塞する場合に、前記ガイドとの間で前記飲料容器の底部を挟み込む当接片を備えたことを特徴とする請求項１又は請求項２に記載の飲料提供装置。
【請求項４】
前記カバー及び前記仕切部材は、透光性材料により構成されたことを特徴とする請求項２又は請求項３に記載の飲料提供装置。
【請求項５】
前記一のノズルは、コーヒー飲料を吐出するものであり、前記他のノズルは、乳成分を含むコーヒー飲料を吐出することを特徴とする請求項１〜４のいずれか１つに記載の飲料提供装置。
【発明の詳細な説明】
【技術分野】
【０００１】
本発明は、飲料提供装置に関するものである。
【背景技術】
【０００２】
従来、コーヒー飲料を提供する飲料提供装置において、牛乳等の乳成分を含むコーヒー飲料を提供するものが特許文献１に提案されている。この特許文献１においては、牛乳が予め供給された飲料容器に対し、加圧された状態の蒸気を供給させるとともに圧縮された状態の空気を供給させて撹拌することで、該牛乳を泡立たせるようにしている。
【先行技術文献】
【特許文献】
【０００３】
【特許文献１】特許第５２４２９０７号公報
【発明の概要】
【発明が解決しようとする課題】
【０００４】
ところで上述した特許文献１では明示されていないが、飲料提供装置においては、いわゆるブラックコーヒーと称されるコーヒー飲料（以下、ブラックコーヒー飲料ともいう）を吐出する機能と、いわゆるカフェラテと称される牛乳等を含むコーヒー飲料（以下、乳成分含有コーヒー飲料ともいう）を吐出する機能とを有するものがあり、この場合、共通のノズルでブラックコーヒー飲料及び乳成分含有コーヒー飲料を吐出するものと、それぞれ異なるノズルでブラックコーヒー飲料と乳成分含有コーヒー飲料とを吐出することが考えられる。
【０００５】
一のノズルで乳成分含有コーヒー飲料を吐出し、他のノズルでブラックコーヒー飲料を吐出する飲料提供装置では、これらノズルが互いに隣り合って設置されるものと考えられるが、このように互いに異なる種類の飲料を吐出するノズルが隣接する場合、次のような問題がある。
【０００６】
一のノズルから飲料容器に乳成分含有コーヒー飲料が吐出される場合に、そのコーヒー飲料の一部が、他のノズルからブラックコーヒー飲料を吐出可能な領域に飛散することが考えられる。これにより、ブラックコーヒー飲料の吐出可能な領域に乳成分が侵入してしまい、コンタミネーションが発生してしまう問題があった。
【０００７】
本発明は、上記実情に鑑みて、互いに異なる種類の飲料を吐出する複数のノズルが隣接する場合でもコンタミネーションの発生を防止することができる飲料提供装置を提供することを目的とする。
【課題を解決するための手段】
【０００８】
上記目的を達成するために、本発明に係る飲料提供装置は、装置本体の接客面における飲料提供部に互いに隣接する態様で設けられ、かつ互いに異なる種類の飲料を吐出する複数のノズルと、前記飲料提供部に設けられ、かつ各ノズルの下方側となる部位に飲料容器を載置させるための載置部を有するステージと、前記飲料提供部を開閉する態様で前記装置本体に設けられたカバーとを備えた飲料提供装置において、前記カバーが前記飲料提供部を閉塞する場合に、一のノズルより該ノズルの下方側の載置部に載置される飲料容器に飲料を吐出する領域と、他のノズルより該ノズルの下方側の載置部に載置される飲料容器に飲料を吐出する領域とを仕切る仕切部材を備えたことを特徴とする。
【０００９】
また本発明は、上記飲料提供装置において、前記カバーは、前記飲料提供部に近接離反する態様で揺動可能に設けられ、該飲料提供部に近接する態様で揺動する場合に該飲料提供部を閉塞することが可能であり、前記仕切部材は、前記カバーに設けられたことを特徴とする。
【００１０】
また本発明は、上記飲料提供装置において、前記載置部は、前記飲料容器の底部に当接可能なガイドを有しており、前記カバーは、前記飲料提供部を閉塞する場合に、前記ガイドとの間で前記飲料容器の底部を挟み込む当接片を備えたことを特徴とする。
【００１１】
また本発明は、上記飲料提供装置において、前記カバー及び前記仕切部材は、透光性材料により構成されたことを特徴とする。
【００１２】
また本発明は、上記飲料提供装置において、前記一のノズルは、コーヒー飲料を吐出するものであり、前記他のノズルは、乳成分を含むコーヒー飲料を吐出することを特徴とする。
【発明の効果】
【００１３】
本発明によれば、仕切部材が、カバーが飲料提供部を閉塞する場合に、一のノズルより該ノズルの下方側の載置部に載置される飲料容器に飲料を吐出する領域と、他のノズルより該ノズルの下方側の載置部に載置される飲料容器に飲料を吐出する領域とを仕切るので、一のノズルより吐出される飲料の成分が他のノズルより飲料が吐出される領域に飛散することを防止することができるとともに、他のノズルより吐出される飲料の成分が一のノズルより飲料が吐出される領域に飛散することを防止することができる。従って、互いに異なる種類の飲料を吐出する複数のノズルが隣接する場合でもコンタミネーションの発生を防止することができるという効果を奏する。
【図面の簡単な説明】
【００１４】
【図１】図１は、本発明の実施の形態である飲料提供装置を示す斜視図である。
【図２】図２は、本発明の実施の形態である飲料提供装置を示す正面図である。
【図３】図３は、カバーが飲料提供部を開放した状態を示す斜視図である。
【図４】図４は、図１〜３に示したカバーの斜視図である。
【図５】図５は、カバーが飲料提供部を閉塞した状態における要部の横断面図である。
【発明を実施するための形態】
【００１５】
以下に添付図面を参照して、本発明に係る飲料提供装置の好適な実施の形態について詳細に説明する。
【００１６】
図１及び図２は、それぞれ本発明の実施の形態である飲料提供装置を示すものであり、図１は斜視図、図２は正面図である。ここで例示する飲料提供装置は、装置本体１を備えている。
【００１７】
装置本体１は、本体キャビネット１０及び前面扉２０を備えている。本体キャビネット１０は、前面が開口した略直方状の形態を成すものである。この本体キャビネット１０の内部には、図には明示しないが、いわゆるブラックコーヒーと称されるブラックコーヒー飲料を製造する第１製造手段と、いわゆるカフェラテと称される乳成分含有コーヒー飲料を製造する第２製造手段とが設けられている。尚、第１製造手段及び第２製造手段は、従来公知の構成であるので、本明細書においてはそれらの説明を割愛する。
【００１８】
前面扉２０は、本体キャビネット１０の前面の開口を閉塞するのに十分な大きさを有するものである。この前面扉２０は、本体キャビネット１０の前方側一側縁部において、上下方向に沿って延在する図示せぬ軸部の中心軸回りに揺動可能に設けられており、本体キャビネット１０の前面の開口を開閉することが可能である。
【００１９】
かかる前面扉２０は、前面に液晶表示部２１、選択ボタン２２、飲料提供部２３、カバー２４が設けられている。つまり、前面扉２０の前面は本発明の接客面を構成している。
【００２０】
液晶表示部２１は、種々の情報を表示するものである。選択ボタン２２は、複数設けられており、それぞれが液晶表示部２１の下方側に設けられている。これら選択ボタン２２は、押圧操作された場合に、選択信号を図示せぬ制御部に与えるものである。いずれかの選択ボタン２２より選択信号が与えられた制御部は、該選択ボタン２２に割り付けられた飲料を製造する製造手段（第１製造手段又は第２製造手段）を駆動させる。
【００２１】
飲料提供部２３は、選択ボタン２２の下方域に設けられており、ノズル２３１と、ステージ２３２とを備えて構成されている。
【００２２】
ノズル２３１は、複数（図示の例では２つ）設けられており、互いに隣接する態様で左右に並ぶよう設けられている。右側の第１ノズル２３１ａは、第１製造手段に連結されており、ブラックコーヒー飲料を下方に向けて吐出するものである。左側の第２ノズル２３１ｂは、第２製造手段に連結されており、乳成分含有コーヒー飲料を下方に向けて吐出するものである。
【００２３】
ステージ２３２は、ノズル２３１よりも下方域に設けられている。このステージ２３２は、第１載置部２３２ａと第２載置部２３２ｂとを有している。第１載置部２３２ａは、第１ノズル２３１ａの下方側となる部位に形成されており、カップ等の飲料容器Ｃ（図５参照）を載置させるものである。この第１載置部２３２ａには、円弧状のガイド２３３が設けられている。
【００２４】
第２載置部２３２ｂは、第２ノズル２３１ｂの下方側となる部位に形成されており、飲料容器Ｃを載置させるものである。この第２載置部２３２ｂには、第１載置部２３２ａと同様に円弧状のガイド２３３が設けられている。
【００２５】
カバー２４は、例えば透明な樹脂等の透光性材料より構成されるものであり、飲料提供部２３を覆うのに十分な大きさを有するものである。このカバー２４は、左側端部が前面扉２０に軸支されており、図３に示すように前後方向に沿って揺動可能なものである。つまり、カバー２４は、飲料提供部２３に近接離反する態様で前後方向に沿って揺動可能であり、飲料提供部２３に近接する態様で後方に揺動する場合に飲料提供部２３を閉塞することが可能であり、飲料提供部２３から離隔する態様で前方に揺動する場合に飲料提供部２３を開放することが可能である。
【００２６】
図４は、図１〜図３に示したカバー２４の斜視図である。この図４に示すように、カバー２４は、仕切板（仕切部材）２４１及び当接片２４２を有している。
【００２７】
仕切板２４１は、前方に向けて突となる態様で湾曲するカバー本体２４ａの後面における左右方向の中央部分より後方に向けて延在する板状部材である。この仕切板２４１は、透明な樹脂等の透光性材料より構成されるもので、カバー２４と同一の材料から構成されている。この仕切板２４１は、図５に示すようにカバー２４が飲料提供部２３を閉塞する場合に、第１ノズル２３１ａより第１載置部２３２ａに載置される飲料容器Ｃに飲料を吐出する第１領域２５ａと、第２ノズル２３１ｂより第２載置部２３２ｂに載置される飲料容器Ｃに飲料を吐出する第２領域２５ｂとを仕切るものである。
【００２８】
当接片２４２は、カバー本体２４ａの後面の下端部において、カバー本体２４ａの形状に沿うように後方に向けて突出する態様で設けられている。つまり、当接片２４２の後端部分は湾曲している。このような当接片２４２は、カバー２４が飲料提供部２３を閉塞する場合に、第１載置部２３２ａ及び第２載置部２３２ｂのガイド２３３との間で飲料容器Ｃの底部を挟み込むものである。
【００２９】
以上のような構成を有する飲料提供装置においては、カバー２４が飲料提供部２３を閉塞する場合に、仕切板２４１が第１ノズル２３１ａより第１載置部２３２ａに載置される飲料容器Ｃに飲料を吐出する第１領域２５ａと、第２ノズル２３１ｂより第２載置部２３２ｂに載置される飲料容器Ｃに飲料を吐出する第２領域２５ｂとを仕切るので、例えば第２ノズル２３１ｂより吐出される乳成分含有コーヒー飲料の乳成分が第１領域２５ａに飛散することを防止することができるとともに、第１ノズル２３１ａより吐出されるブラックコーヒー飲料の成分が第２領域２５ｂに飛散することを防止することができる。
【００３０】
これにより本実施の形態である飲料提供装置によれば、互いに異なる種類の飲料を吐出する第１ノズル２３１ａと第２ノズル２３１ｂとが隣接する場合でもコンタミネーションの発生を防止することができる。
【００３１】
上記飲料提供装置によれば、仕切板２４１はカバー本体２４ａに取り付けられてカバー２４を構成しているので、カバー２４が前方に向けて揺動して飲料提供部２３を開放する場合には、仕切板２４１も飲料提供部２３から離脱することとなる。従って、仕切板２４１に邪魔されずに飲料提供部２３の清掃を行うことができ、清掃作業の容易化を図ることができる。また、カバー２４が飲料提供部２３を開放する場合に仕切板２４１も飲料提供部２３から離脱することで、所定の飲料が投入された飲料容器Ｃを仕切板２４１に邪魔されずに取り出させることができ、商品である飲料容器Ｃの取り出しを良好なものとすることができる。
【００３２】
また、上記飲料提供装置によれば、カバー２４が飲料提供部２３を閉塞する場合に、当接片２４２が第１載置部２３２ａ及び第２載置部２３２ｂのガイド２３３との間で飲料容器Ｃの底部を挟み込むので、飲料容器Ｃを第１ノズル２３１ａ又は第２ノズル２３１ｂに対して適正な個所に配置させることができる。
【００３３】
更に、上記飲料提供装置によれば、仕切板２４１は、カバー２４と同様に透光性材料から構成されているので、第１領域２５ａ及び第２領域２５ｂの視認性を確保することができる。
【００３４】
以上、本発明の好適な実施の形態について説明したが、本発明はこれに限定されるものではなく、種々の変更を行うことができる。
【００３５】
上述した実施の形態では、仕切板２４１はカバー本体２４ａに設けられることでカバー２４を構成していたが、本発明においては、仕切部材は、カバーを構成しないで装置本体に設けられていてもよい。
【００３６】
上述した実施の形態においては、カバー２４は、飲料提供部２３に近接離反する態様で前後方向に揺動可能に設けられていたが、本発明においては、カバーは、飲料提供部を閉塞することができればその移動方向は特に限定されるものではない。
【符号の説明】
【００３７】
１  装置本体
１０  本体キャビネット
２０  前面扉
２１  液晶表示部
２２  選択ボタン
２３  飲料提供部
２３１  ノズル
２３１ａ  第１ノズル
２３１ｂ  第２ノズル
２３２  ステージ
２３２ａ  第１載置部
２３２ｂ  第２載置部
２３３  ガイド
２４  カバー
２４１  仕切板（仕切部材）
２４２  当接片
２５ａ  第１領域
２５ｂ  第２領域
Ｃ  飲料容器
【図１】
0006565545.tif 000002
【図２】
0006565545.tif 000003
【図３】
0006565545.tif 000004
【図４】
0006565545.tif 000005
【図５】
0006565545.tif 000006